【事件の表示】
　特許第２７５８３７０号「断熱形材」の特許に対する特許異議の申立てについて、次のとおり決定する。
【結論】
　訂正を認める。
　特許第２７５８３７０号の特許を維持する。
【理由】
Ｉ．手続の経緯
　本件特許第２７５８３７０号に係る出願は、平成６年１２月１４日の出願であって、平成１０年３月１３日に特許権の設定登録がなされ、その後、異議申立てがなされ、取消理由が通知され、その指定期間である平成１１年１０月１２日に訂正請求がなされたものである。
ＩＩ．訂正の要旨
　訂正事項ａ：特許請求の範囲の請求項１の記載を特許請求の範囲の減縮を目的として、次のように訂正する。
「【請求項１】アルミニウム合金製押出形材からなる室外側部材と室内側部材の相互の対向部間を１本または複数本の断熱材により結合して断熱形材を構成すると共に、前記断熱材は、開口部構成部材の室外側の面および見込み面に対して非平行であり、前記室内側形材には、辷り出し窓、開閉窓、回転窓を構成する障子枠と当接する気密材の取付け片または受け片を有しており、前記室外側部材と室内側部材とは、各部材にそれぞれ間隔を開けて設けた２箇所以上の突条あるいは面、または広幅の面によって開口部構成部材に対して接してなることを特徴とする断熱形材。」
　訂正事項ｂ：特許明細書の段落番号【０００５】の記載を、明瞭でない記載の釈明を目的として、次のように訂正する。
「【課題を解決するための手段】
本発明は、アルミニウム合金製押出形材からなる室外側部材と室内側部材の相互の対向部間を１本または複数本の断熱材により結合して断熱形材を構成すると共に、前記断熱材は、開口部構成部材の室外側の面および見込み面に対して非平行であり、前記室内側部材には、辷り出し窓、開閉窓、回転窓を構成する障子枠と当接する気密材の取付け片または受け片を有しており、前記室外側部材と室内側部材とは、各部材にそれぞれ間隔を開けて設けた２箇所以上の突条あるいは面、または広幅の面によって開口部構成部材に対して接してなることを特徴とする。」
　訂正事項ｃ：特許明細書の段落番号【００１７】の記載を、明瞭でない記載の釈明を目的として、次のように訂正する。
「上記実施例においては、室外側部材９と室内側部材１０との間に２本の断熱材１１が設けられる場合について示したが、１本の断熱材１１をかしめ付ける場合、すなわちかしめ穴１２が１つの場合にも本発明を適用でき、また断熱材１１を一体成形する場合にも適用できる。また、本発明は、出窓が、辷り出し窓以外に、開閉窓、回転窓等の他の窓を構成する場合にも適用でき、また出窓以外に、開口部構成部材に枠としての断熱形材が固定される他の建具にも適用できる。その他本発明を実施するに当たり、各構成部材の具体的な形状、構造や組合せ等については、種々の変更、付加が可能である。」
　ＩＩＩ．訂正の適否
　１．訂正の目的の適否、新規事項の有無、拡張・変更の存否
　訂正事項ａは、特許請求の範囲の減縮に該当し、願書に添付された明細書の記載の範囲内のものであり、実質的に特許請求の範囲を拡張または変更するものではない。
　また訂正事項ｂおよび訂正事項ｃは、明瞭でない記載の釈明に該当し、願書に添付された明細書の記載の範囲内のものであり、実質的に特許請求の範囲を拡張または変更するものではない。
　２．独立特許要件
　（１）訂正後発明
　訂正明細書の請求項１に係る発明（以下、「訂正後発明」という。）は、訂正明細書および図面の記載からみて、その特許請求の範囲の請求項１に記載された次のとおりのものである。
　「アルミニウム合金製押出形材からなる室外側部材と室内側部材の相互の対向部間を１本または複数本の断熱材により結合して断熱形材を構成すると共に、前記断熱材は、開口部構成部材の室外側の面および見込み面に対して非平行であり、前記室内側形材には、辷り出し窓、開閉窓、回転窓を構成する障子枠と当接する気密材の取付け片または受け片を有しており、前記室外側部材と室内側部材とは、各部材にそれぞれ間隔を開けて設けた２箇所以上の突条あるいは面、または広幅の面によって開口部構成部材に対して接してなることを特徴とする断熱形材。」
（２）引用文献
　当審が先の取消理由に引用した特開平４−３２３４８６号公報（以下、「刊行物１」という。）には、次の事項が記載されている。
　▲１▼屋内側部材３Ａと屋外側部材３Ｂとの間には断熱部材３Ｃが配設されている。（第３頁左欄第１６〜１７行）
　▲２▼断熱部材３Ｃが躯体２４の室外側の面及び見込み面に対して非平行である。（図５）
　▲３▼又、屋外側部材３Ｂにはフランジ３Ｂが一体に形成されており、屋外側部材３Ｂはこのフランジ３ｂにて躯体２４にビス締めされて固定されている。屋内側部材３Ａにはポケット３Ｃ及びポケット３Ｃから連続するフランジ３ｄが一体に形成されており、屋内側部材３Ａは、このポケット３Ｃにて躯体２４に固定された屋内造作材２５に保持されると共にフランジ３ｄにて躯体２４にビス締めされて固定されている。（第３頁左欄第２２〜２９行）
　同じく先の取消理由に引用した実公昭６０−２８７６９号公報（以下、「刊行物２」という。）には、次の事項が記載されている。
　▲１▼本考案二重窓用上枠材Ａは、外窓上枠１と内窓上枠４とが断熱材７によって連結されているが、その連結の仕方は外窓上枠の後面板１ｂと、内窓上枠の前面板４ａとが対向し、それら各面板の上・下２辺において断熱材７・７によって両上枠が接触することのないよう、換言すれば離隔的に連結せられている。（第２頁左欄第７〜１３行）
　▲２▼本考案下枠材Ｂは、上枠材Ａにおける符号１を２、符号４を５に読みかえればよい。（第２頁右欄第２〜３行）
　▲３▼第２図に示した右の竪枠材Ｃは、同様に符号１を３に、符号４を６に読みかえればよい。（第２頁右欄第１０行〜１１行）
　同じく先の取消理由に引用した特開平６−１４６７２５号公報、特開平６−１４６７３６号公報、実願昭６０−１９３５３７号（実開昭６２−１０１９８３号）のマイクロフィルム（以下、「周知例」という。）には、断熱形材を構成する室外側部材および室内側部材をアルミ合金製押出型材で構成することがそれぞれ記載されている。
　また本件の出願前に頒布された、異議申立人三協アルミニウム工業株式会社が提出した甲第２号証：実願昭６０−２０４４７１号（実開昭６２−１１０４９２号）のマイクロフィルム（以下、「刊行物３」という。）には、室外枠４は広幅の面によって開口部構成部材である柱に対して接しており、室内枠５は２つの突条によって開口部構成部材である柱に対して接してなる竪枠１２’’が記載されている。（図５）
（３）対比
　訂正後発明と刊行物１記載の発明とを対比すると、刊行物１記載の発明における、「屋内側部材」、「屋外側部材」、「断熱部材」、「フランジ」および「躯体」が、それぞれの機能に照らし、それぞれ訂正後発明における、「室内側部材」、「室外側部材」、「断熱材」、「広幅の面」および「開口部構成部材」に対応するものであるから、訂正後発明と刊行物１記載の発明とは、「室外側部材と室内側部材の相互の対向部間を１本または複数本の断熱材により結合して断熱形材を構成すると共に、前記断熱材は、開口部構成部材の室外側の面および見込み面に対して非平行であり、前記室外側部材と室内側部材とは、各部材にそれぞれ間隔を開けて設けた２箇所以上の突条あるいは面、または広幅の面によって開口部構成部材に対して接してなることを特徴とする断熱形材。」という点で一致し、次の点で両者の構成は相違する。
　相違点１：訂正後発明においては、室外側部材と室内側部材がアルミニウム合金製押出形材からなるのに対し、刊行物１記載の発明においては、屋外側部材と屋内側部材が前記構成を有していない点。
　相違点２：訂正後発明においては、室内側部材には、辷り出し窓、開閉窓、回転窓を構成する障子枠と当接する気密材の取付け片または受け片を有しているのに対して、刊行物１記載の発明においては、屋内側部材が前記構成を有していない点。
　（４）判断
　前記相違点１について検討する。
　断熱形材を構成する室外側部材および室内側部材をアルミニウム合金製押出形材で構成することは、上記周知例に記載されている。
　前記相違点２について検討する。
　刊行物２記載の「外窓上枠、外窓下枠および外窓竪枠」、「内窓上枠、内窓下枠および内窓竪枠」、「合成樹脂発泡体」および「建家窓用開口部」が、それぞれの機能に照らし、それぞれ訂正発明の「室外側部材」、「室内側部材」、「断熱材」および「開口部構成部材」に対応するものであるから、刊行物２には、室外側部材と室内側部材の相互の対向部問を１本または複数本の断熱材により結合して断熱形材を構成すると共に、前記室外側部材と室内側部材とは、各部材にそれぞれ間隔を開けて設けた２箇所以上の突条あるいは面、または広幅の面によって開口部構成部材に対して接してなることを特徴とする断熱形材が記載されている。
　また刊行物３には、室内枠４は広幅の面によって開口部構成部材である柱に対して接しており、室内枠５は２つの突条によって開口部構成部材である柱に対して接してなる竪枠１２’’が記載されている。
　しかし、刊行物２、３および周知例のいずれにも、前記相違点２である「室内側形材には、辷り出し窓、開閉窓、回転窓を構成する障子枠と当接する気密材の取付け片または受け片を有している」という構成（以下、「構成Ａ」という。）に関する記載はなく、前記構成Ａを示唆する記載もない。
　してみると、刊行物２、３記載の発明および周知例は、訂正後発明と刊行物１記載の発明との前記相違点２である構成Ａを充足することを示唆する発明であるとは認められず、刊行物１〜３記載の発明および周知例をいかなる組合せをしても訂正発明の構成に想到できたとは認めることができない。
　また訂正後発明は、特に前記構成Ａにより明細書記載の効果を奏するものであるから、訂正後発明は、刊行物１〜３および周知例記載の発明とも、あるいは刊行物１〜３記載の発明および周知例記載の発明に基づいて当業者が容易に発明をすることができたものとも認められない。また、他に訂正後発明が特許出願の際独立して特許を受けることができないとする理由を発見しない。よって訂正後発明は、特許出願の際、独立して特許を受けることができるものである。
　３．訂正の適否のまとめ
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用される特許法第１２６条第２〜４項の規定に適合するので、当該訂正を認める。
ＩＶ．異議申立について
　１．異議申立の理由の概要
　異議申立人ワイ　ケイ　ケイ　ア−キテクチュラルプロダクツ　株式会社は、証拠として甲第１、２号証を提出し、本件特許の請求項１に係る発明の特許は、特許法第２９条第１項第３号あるいは同条第２項の規定に違反してなされたものであり、また異議申立人三協アルミニウム工業株式会社は、証拠として甲第１、２号証を提出し、本件特許の請求項１に係る発明は、特許法第２９条第１項第３号あるいは同条第２項の規定に違反してなされたものであり、その特許を取り消されるべきものであるとそれぞれ主張している。
　２．甲各号証
　異議申立人ワイ　ケイ　ケイ　ア−キテクチュラル　プロダクツ　株式会社の提出した甲第１号証：特開平４−３２３４８６号公報および甲第２号証：実公昭６０−２８７６９号公報は、それぞれ取消理由に引用した刊行物１、２と同一の刊行物であり、甲第１、２号証には、上記記ＩＩＩ．訂正の適否の２．独立特許要件のところで示したとおりのものが記載されている。
　また異議申立人三協アルミニウム工業株式会社の提出した甲第１号証は、取消理由に引用した刊行物１と同一の刊行物であり、また甲第２号証は、上記刊行物３と同一の刊行物であり、甲第１、２号証には、ＩＩＩ．訂正の適否の２．独立特許要件のところで示したとおりのものが記載されている。
　３．異議申立ての理由についての判断
　上記ＩＩＩ．２．（４）において示したように、本件訂正後発明は、刊行物１（異議申立人ワイ　ケイ　ケイ　ア−キテクチュラル　プロダクツ　株式会社および三協アルミニウム工業株式会社が提出した甲第１号証）、刊行物２（異議申立人ワイ　ケイ　ケイ　ア−キテクチュラル　プロダクツ　株式会社が提出した甲第２号証）、刊行物３（異議申立人三協アルミ工業株式会社が提出した甲第２号証）に記載された発明とも、あるいは記載された発明に基づいて当業者が容易に発明をすることができたものとすることもできない。
４．むすび
　以上のとおりであるから、異議申立人の主張する理由および提出した証拠方法によっては、本件訂正後発明の特許を取り消すことはできない。
　また、他に本件訂正後発明の特許を取り消すべき理由を発見しない。
　よって、結論のとおり決定する。
【異議決定日】
平成１１年１１月１０日（１９９９．１１．１０）
【訂正の要旨】
本件特許第２７５８３７０号の訂正事項は、以下のとおりである。
１．特許請求の範囲の減縮を目的として、特許明細書の特許請求の範囲の、
　「【請求項１】アルミニウム合金製押出形材からなる室外側部材と室内側部材の
の相互の対向部間を１本または複数本の断熱材により結合して断熱形材を構成すると共に、前記断熱材は、開ロ部構成部材の室外側の面および見込み面に対して非平行であり、前記室外側部材と室内側部材とは、各部材にそれぞれ間隔を開けて設けた２箇所以上の突条あるいは面、または広幅の面によって開□部構成部材に対して接してなることを特徴とする断熱形材。」を、
「【請求項１】アルミニウム合金製押出形材からなる室外側部材と室内側部材の相互の対向部間を１本または複数本の断熱材により結合して断熱形材を構成すると共に、前記断熱材は、開□部構成部材の室外側の面および見込み面に対して非平行であり、前記室内側形材には、辷り出し窓、開閉窓、回転窓を構成する障子枠と当接する気密材の取付け片または受け片を有しており、前記室外側部材と室内側部材とは、各部材にそれぞれ間隔を開けて設けた２箇所以上の突条あるいは面、または広幅の面によって開ロ部構成部材に対して接してなることを特徴とする断熱形材。」と訂正する。
２．明りょうでない記載の釈明を目的として、
（１）特許明細書の段落番号【０００５】（特許公報第２頁左欄第１１〜２０行）の、
「【課題を解決するための手段】
本発明は、アルミニウム合金製押出形材からなる室外側部材と室内側部材の相互の対向部間を１本または複数本の断熱材により結合して断熱形材を構成すると共に、前記断熱材は、開ロ部構成部材の室外側の面および見込み面に対して非平行であり、前記室外側部材と室内側部材とは、各部材にそれぞれ間隔を開けて設けた２箇所以上の突条あるいは面、または広幅の面によって開ロ部構成部材に対して接してなることを特徴とする。」を、
「【課題を解決するための手段】
本発明は、アルミニウム合金製押出形材からなる室外側部材と室内側部材の相互の対向部間を１本または複数本の断熱材により結合して断熱形材を構成すると共に、前記断熱材は、開ロ部構成部材の室外側の面および見込み面に対して非平行であり、前記室内側形材には辷り出し窓、開閉窓、回転窓を構成する障子枠と当接する気密材の取付け片または受け片を有しており、前記室外側部材と室内側部材とは、各部材にそれぞれ間隔を開けて設けた２箇所以上の突条あるいは面、または広幅の面によって開ロ部構成部材に対して接してなることを特徴とする。」と訂正する。
（２）特許明細書の段落番号【００１７】（特許公報第３頁左欄第３９行〜同頁右欄第１０行）の、
「上記実施例においては、室外側部材９と室内側部材１０との間に２本の断熱材１１が設けられる場合について示したが、１本の断熱材１１をかしめ付ける場合、すなわちかしめ穴１２が１つの場合にも本発明を適用でき、また断熱材１１を一体成形する場合にも適用できる。また、本発明は、出窓が、嵌め殺し窓や辷り出し窓以外に、開閉窓、上げ下げ窓、回転窓等、他の窓を構成する場合にも適用でき、また出窓以外に、開口部構成部材に枠としての断熱形材が固定される他の建具にも適用できる。その他本発明を実施するに当り、各構成部材の具体的な形状、構造や組合わせ等については、種々の変更、付加が可能である。」を、
「上記実施例においては、室外側部材９と室内側部材１０との間に２本の断熱材１１が設けられる場合について示したが、１本の断熱材１１をかしめ付ける場合、すなわちかしめ穴１２が１つの場合にも本発明を適用でき、また断熱材１１を一体成形する場合にも適用できる。また、本発明は、出窓が、辷り出し窓以外に、開閉窓、回転窓等の他の窓を構成する場合にも適用でき、また出窓以外に、開口部構成部材に枠としての断熱形材が固定される他の建具にも適用できる。その他本発明を実施するに当り、各構成部材の具体的な形状．構造や組合わせ等については、種々の変更、付加が可能である。」と訂正する。
（５４）【発明の名称】
断熱形材
（５７）【特許請求の範囲】
　【請求項１】
　アルミニウム合金製押出形材からなる室外側部材と室内側部材の相互の対向部問を１本または複数本の断熱材により結合して断熱形材を構成すると共に、前記断熱材は、開口部構成部材の室外側の面および見込み面に対して非平行であり、
前記室内側形材には、辷り出し窓、開閉窓、回転窓を構成する障子枠と当接する気密材の取付け片または受け片を有しており、
【発明の詳細な説明】
　　　【０００１】
　　【産業上の利用分野】
　本発明は、アルミニウム合金製押出形材からなる室外側部材と室内側部材の相互の対向部間を断熱材により結合してなるサッシ用断熱形材に関する。
　　　【０００２】
　　【従来の技術】
　図５は実開昭５６−１２１８６６号公報に開示された出窓における縦枠の取付け構造を示す横断面図であり、出窓の縦枠ａは室外側部材ｂと室内側部材ｃとを合成樹脂製等でなる断熱材ｄにより結合してなり、室外側部材ｂと室内側部材ｃとの間に押縁ｅを介して嵌め殺し窓用障子ｆを装着した例を示す。室内側部材。は柱ｇに固定具ｈにより固定される。ｉは建物外壁を構成するモルタル、ｊはコーキング材である。
　　　【０００３】
　　【発明が解決しようとする課題】
　図５に示す公知の出窓においては、室外側部材ｂにかかる風圧や窓構成部材の荷重等は、断熱材ｄを介して室内側部材ｃに加わることになる。このため、アルミニウム合金製の部材ｂ、ｃに比較して強度の低い合成樹脂製の断熱材ｄが破損するおそれがあり、また、この外力や荷重に耐える強度を持たなければならないために、断熱材ｄが不厚いものとならざるを得ないという問題点がある。
　　　【０００４】
　本発明は、上記従来技術の問題点に鑑み、室外側部材と室内側部材とが断熱材により結合されて建物の開口部構成部材に固定される枠材において、断熱材にかかる応力が軽減され、断熱材の破壊のおそれがなく、取付け強度が高く、寿命の長い断熱形材を提供することを目的とする。
　　　【０００５】
　　【課題を解決するための手段】
　本発明は、アルミニウム合金製押出形材からなる室外側部材と室内側部材の相互の対向部間を１本または複数本の断熱材により結合して断熱形材を構成すると共に、前記断熱材は、開口部構成部材の室外側の面および見込み面に対して非平行であり、
前記室内側形材には、迂り出し窓、開閉窓、回転窓を構成する障子枠と当接する気密材の取付け片または受け片を有しており、
　　　【０００６】
　　【作用】
　本発明においては、上述のように、断熱材の両側の室外側部材と室内側部材が開口部構成部材に双方とも固定されると共に、それぞれの部材に対して間隔を開けた２箇所以上の突条あるいは面、または広幅の面によって接してなるので、室外側部材にかかる荷重や外力は開口部構成部材により受けられ、室外側部材にかかる外力や荷重は断熱材にほとんどかからない。
　　　【０００７】
　　【実施倒】
　図１は本発明による断熱形材の一実施例を出窓の縦枠について示す横断面図、図２は図１の縦枠を有する出窓の全体構成を示す平面図である。本例の出窓は、図２に示すように、左右の方立２、２間に障子３が固定されて嵌め殺し窓を構成し、左右の方立２と縦枠４との間に縦辷り出し窓を構成する障子５が装着された例について示す。６は出窓を取付ける建物開口部７を構成する柱、８は柱６に固定した額縁である。
　　　【０００８】
　図１に示すように、縦枠４は、アルミニウム合金製室外側部材９と室内側部材１０との間を、合成樹脂製の断熱材１１をかしめ付けて結合することにより構成される。室外側部材９には室外側に突出させた取付け部９ａを形成し、該取付け部９ａの先端に形成した突条９ｆとこれに間隔を開けて設けた突条９ｇとを、開口部７の構成部材である柱６の室外側の面６ａに当接させ、釘やねじ等の固定具１３により固定する。
　　　【０００９】
　一方、室内側部材１０には、室内側に突出した突条１０ｃと、これに対して間隔を開けて設けた取付け部１０ａとを有し、該取付け部１０ａを額縁８、すなわち開口部構成部材における見込み面８ａに面接触させ、前記突条１０ｃの先端を柱６の室外側の面６ａに接触させ、取付け部１０ａを固定具１４により固定する。このように、間隔を有する突条９ｆ、９ｇ、あるいは突条１０Ｃと取付け部１０ａの広幅の面１０ｒとを柱６や額縁８に接触させ、室外側部材９と室内側部材１０の双方を固定具１３、１４によって固定することにより、室外側部材９や室内側部材１０にかかる荷重をこれらの開口部構成部材６、８でそれぞれ受けることができ、断熱材１１に依存しない。従って、断熱材１１にかかる応力が軽減され、断熱材１１の外力や荷重による破損のおそれがなくなる。
　　　【００１０】
　さらに、本実施例においては、室内側部材１０の固定具１４による取付け部１０ａによる固定部より離れた断熱材１１近傍の箇所に、断熱材取付け部１０ｄより延長させて突条１０ｃを設け、該突条１０ｃを柱６の室外側の面に当接させることにより、室内側部材１０にかかる圧力が突条１０ｃを介して柱６で受けられ、断熱材１１にかかる力がさらに軽減される。室内側部材１０は固定具１４を額縁８の対向面に固定し、離れた箇所において突条１０ｃを室外側の面に当接させ、しかも額縁８のコーナー部を囲むように取付けられるため、取付け強度が大となり、また、固定具１４による取付けが室内側から行われるので、取付けが容易となる。また、断熱材１１と突条１０ｃと室外側部材９と柱６との間に空隙部２１を形成したことにより、該断熱形材を縦枠４に用いた場合には、対流が減少し、断熱性能が向上する。
　　　【００１１】
　ここで、縦枠４は傾斜方立２に対向するものであって、障子５が柱６の室外側の面に対して垂直ではなく、傾斜しており、断熱材１１が柱６の室外側の面および見込み面に対して非平行をなす。前記室内側部材１０の前記突条１０ｃを断熱材１１の内外方向に対して直角に形成している。
　　　【００１２】
　前記断熱材１１のかしめ付けは、かしめ穴１２に断熱材１１の端部を入れ、かしめローラによって断熱材１１を両側から押圧することによってかしめることにより行うが、かしめ付け強度を上げるために、図３に示すように、かしめ付けの前に、かしめ穴１２の入口に凹凸を付ける。すなわちナーリングを施す。この凹凸は、図３に示すように、断熱材１１の取付け面側に設置した回転歯１５等のナーリング回転体をかしめ穴１２に入れ、かしめ穴１２を設けた面の反対側の面に受けローラ１６を当接させ、回転歯１５を回転させ、受けローラ１６を従動または駆動させながら室内側部材１０となる形材を移動させつつ、ナーリングを施す。
　　　【００１３】
　このようなナーリングを行うため、前記突条１０ｃを、受けローラ１６を当てる手段として兼用できるように、該突条１０ｃを断熱材１１の内外方向に対して直角をなすように形成し、その反対側に突出させた障子５との間の気水密材１８の取付け片（または気水密材の受け片）１０ｂとを面一に構成し、該取付け片１０ｂもナーリング受け部として兼用できるようにしている。これらのナーリング受け部１０ｂ、１０ｃは、室内側部材１０に設けた２つのかしめ穴１２間の中間を通るかしめ穴１２の深さ方向の面１９の両側にあり、受けローラ１６の当接を可能にするため、これらのナーリング受け部１０ｂ、１０ｃは、取付け部１０ａよりもさらに両側に突出するように設けられる。
　　　【００１４】
　また、室外側部材９についても、複数の外面９ｂ、９ｃが角度をなすため、互いに面一をなすナーリング受け部９ｄ、９ｅ（一方のナーリング受け部９ｄは障子５に取付けた気水密材２０の受け片を兼ねている）、面１９を跨ぐようにあるいは一部が交差するように形成する。このように構成することにより、通常の角型の断熱形材と同様に、外周面が平らな通常の受けローラ１６を用いて、安定した状態でナーリングを行うことができ、安定した品質のナーリングが行える。
　　　【００１５】
　図４（Ａ）は本発明の他の実施例を示す横断面図であり、本実施例は、室外側部材９と柱６との接触を、広幅の面９ｈにおける面接触により行い、取付け辺９ｉを固定具１３により固定するようにしたものであり、このように広い面積で断開口部構成部材に接触させることによっても室外側部材９等の安定した支持が行える。また、本実施例は、室内側部材１０を柱６および額縁８の見込み面６ｂ、８ａに突条１０ｅ、１０ｆ、１０ｈを当接させ、また、額縁８の先端に面１０ｉを当接させ、固定具１４に固定した例を示す。９ｊは気密材取付け部である。
　　　【００１６】
　図４（Ｂ）の実施例は、非傾斜面に取付ける断熱形材４Ａを、傾斜縦枠４に組合わせることにより、断熱形材４Ａを傾斜縦枠と非傾斜縦枠とで共用できるようにしたものである。本例の縦枠４は、広い面９ｈと突条９ｆとを柱６の室外側面６ａに当接させて固定具１３により固定し、室内側部材１０は突条１０ｃ、１０ｈにおいて柱６の室外側面６ａ、見込み面６ｂに当接させて固定具１４により固定し、非傾斜縦枠４Ａは、それぞれ室外側部材９、９Ａの係合部９ｋ、９ｍと、室内側部材１０、１０Ａの係合部１０ｊ、１０ｋにおいて係合させて固定具１７により相互に固定している。
　　　【００１７】
　上記実施例においては、室外側部材９と室内側部材１０との間に２本の断熱材１１が設けられる場合について示したが、１本の断熱材１１をかしめ付ける場合、すなわちかしめ穴１２が１つの場合にも本発明を適用でき、また断熱材１１を一体成形する場合にも適用できる。また、本発明は，出窓が、
辷り出し窓以外に、開閉窓、回転窓等の
　　　【００１８】
　　【発明の効果】
　請求項１によれば、断熱材が開口部構成部材の室外側の面および見込み面に対して非平行をなし、断熱形材を構成する室外側部材と室内側部材とは、各部材にそれぞれ間隔を開けて設けた２箇所以上の突条あるいは面、または広幅の面によって開口部構成部材に対して接触させたので、室外側部材および室内側部材にかかる荷重や外力は突条や接触面を介して開口部構成部材により受けられ、室外側部材および室内側部材にかかる外力や荷重は断熱材にほとんどかからず、断熱材の破壊のおそれがなく、取付け強度が高くなり、断熱形材の延命化が達成される。
【図面の簡単な説明】
　【図１】本発明を出窓の縦枠に適用した一実施例を示す横断面図である。
　【図２】本実施例の出窓の全体構成を示す横断面図である。
　【図３】図１の実施例の室外側部材におけるナーリング作業状態を示す端面図である。
　【図４】（Ａ）、（Ｂ）はそれぞれ本発明の他の実施例を示す横断面図である。
　【図５】公知の出窓の縦枠を示す拡大図である。
　【符号の説明】
４、４Ａ：縦枠、６：柱、６ａ：室外側の面、６ｂ、８ａ：見込み面、８：額縁、９、９Ａ：室外側部材、９ａ：取付け部、９ｆ、９ｇ、１０ｃ、１０ｅ、１０ｆ、１０ｈ：突条、９ｈ、１０ｒ：（広幅の）面、１０、１０Ａ：室内側部材、１０ａ：取付け部、１０ｄ：断熱材取付け部、１１：断熱材、１２：かしめ穴、１３、１４：固定具、２１：空隙部